(57)【要約】【課題】処理能力をアップさせる場合であっても、シート状に折り畳まれた状態で供給される筒状フィルムを確実に開口することができるフィルム被嵌装置を提供する。【解決手段】ラベルオープナー５０は、第１の吸引杆５５Ａ、第２の吸引杆５５Ｂ、第３の吸引杆５５Ｃ及び第４の吸引杆５５Ｄを備えている。第１の吸引杆５５Ａ、第２の吸引杆５５Ｂがテイクアップ部材４１からラベルＬを受け取ってその一面側を吸引保持した後、第３の吸引杆５５Ｃ、第４の吸引杆５５ＤがラベルＬの他面側に接近してラベルＬの他面側を吸引保持する。その状態で、衝撃付与手段６０によってラベルの下端縁に衝撃を付与することで擬似接着状態を解除した後に、押当手段７０によって第３の吸引杆５５Ｃ、第４の吸引杆５５ＤにラベルＬを押し当てた後、第１の吸引杆５５Ａ、第２の吸引杆５５Ｂと第３の吸引杆５５Ｃ、第４の吸引杆５５Ｄとが相互に離反することで、ラベルＬを開口する。【選択図】        図１０
2014213898.tif 000002
【特許請求の範囲】
【請求項１】
シート状に折り畳まれた状態で供給される所定長の筒状フィルムをオープナーが受け取って筒状に開口して被嵌体に被嵌するフィルム被嵌装置であって、
オープナーは、筒状フィルムの両面をそれぞれ吸引保持する対を為す吸引部材を有し、一方の吸引部材が筒状フィルムの一方の面を吸引保持した状態で、両吸引部材が相対的に接近して他方の吸引部材が筒状フィルムの他方の面を吸引保持した後、両吸引部材を相互に離反させることで、筒状フィルムを開口するようになっており、
オープナーの他方の吸引部材が筒状フィルムの他方の面を吸引保持した後、両吸引部材を相互に離反させるまでの間に、筒状フィルムの他方の面を他方の吸引部材に押し当てる押当手段を備えていることを特徴とするフィルム被嵌装置。
【請求項２】
オープナーの他方の吸引部材が筒状フィルムの他方の面を吸引保持した後、両吸引部材を相互に離反させるまでの間に、筒状フィルムの切断端に衝撃を付与する衝撃付与手段を備えている請求項１に記載のフィルム被嵌装置。
【発明の詳細な説明】
【技術分野】
【０００１】
この発明は、例えば、シート状に折り畳まれた状態で供給されるシュリンクラベルやストレッチラベル等の筒状フィルムを、瓶、ボトル等の被嵌体に被嵌するフィルム被嵌装置に関する。
【背景技術】
【０００２】
この種のフィルム被嵌装置では、例えば、図１４に示すように、まず、シート状に折り畳まれた状態で供給される所定長の筒状フィルムＦを、テイクアップ部材８１がその片面を吸引保持することによって受け取り、続いて、オープナー８２がテイクアップ部材８１から筒状フィルムＦを受け取って開口するようになっている。
【０００３】
オープナー８２は、図１５（ａ）、（ｂ）に示すように、シート状に折り畳まれた状態の筒状フィルムＦの一面側を、その幅方向に所定間隔を開けて吸引する第１吸引杆８２ａ及び第２吸引杆８２ｂと、筒状フィルムＦの他面側における第１吸引杆８２ａ及び第２吸引杆８２ｂにそれぞれ対応する位置を吸引する第３吸引杆８２ｃ及び第４吸引杆８２ｄとを備えており、筒状フィルムＦの一面側を吸引している第１吸引杆８２ａ及び第２吸引杆８２ｂと、筒状フィルムＦの他面側を吸引している第３吸引杆８２ｃ及び第４吸引杆８２ｄとが相互に離反することによって、シート状に折り畳まれた状態の筒状フィルムＦが開口されるようになっている。
【０００４】
テイクアップ部材８１からオープナー８２への筒状フィルムＦの受け渡し及び筒状フィルムＦの開口は、以下のようにして行われる。まず、図１４（ａ）、（ｂ）に示すように、テイクアップ部材８１の下方側で待機しているオープナー８２が、同図（ｃ）、（ｄ）に示すように、テイクアップ部材８１に吸引保持された筒状フィルムＦと、第１吸引杆８２ａ及び第２吸引杆８２ｂとが対向する位置まで上昇する。このとき、筒状フィルムＦと、第１吸引杆８２ａ及び第２吸引杆８２ｂとは僅かな隙間が形成された状態となっている。
【０００５】
続いて、第１吸引杆８２ａ及び第２吸引杆８２ｂが筒状フィルムＦの一面側を吸引保持した後、テイクアップ部材８１による吸引動作が解除され、同図（ｅ）、（ｆ）に示すように、テイクアップ部材８１が上方へ待避することによって、テイクアップ部材８１からオープナー８２への筒状フィルムＦの受け渡しが完了する。
【０００６】
その後、同図（ｇ）、（ｈ）に示すように、オープナー８２の第３吸引杆８２ｃ及び第４吸引杆８２ｄが回動することによって、第１吸引杆８２ａ及び第２吸引杆８２ｂに吸引保持されている筒状フィルムＦの他面側に接近し、筒状フィルムＦの他面側を吸引保持した後、第１吸引杆８２ａ及び第２吸引杆８２ｂと第３吸引杆８２ｃ及び第４吸引杆８２ｄとが相互に離反する方向に回動することによって、同図（ｉ）、（ｊ）に示すように、シート状に折り畳まれた状態の筒状フィルムＦが開口される。
【先行技術文献】
【特許文献】
【０００７】
【特許文献１】国際公開第２０１０／１０９５３５号パンフレット
【発明の概要】
【発明が解決しようとする課題】
【０００８】
このようにして、テイクアップ部材８１からオープナー８２に筒状フィルムＦを受け渡した後、オープナー８２が筒状フィルムＦを開口する場合、オープナー８２がテイクアップ部材８１から筒状フィルムＦを受け取るために第１吸引杆８２ａ及び第２吸引杆８２ｂが筒状フィルムＦの一面側を吸引し始めた時点から、オープナー８２が筒状フィルムＦを開口し始めるまでの間には、オープナー８２の第３吸引杆８２ｃ及び第４吸引杆８２ｄが筒状フィルムＦに対して吸引動作を実行しなければならないので、第１吸引杆８２ａ及び第２吸引杆８２ｂが筒状フィルムＦの一面側を吸引し始めた後、オープナー８２が筒状フィルムＦを開口し始めるまでの間に十分な時間を確保することができ、その間に、第１吸引杆８２ａ及び第２吸引杆８２ｂは筒状フィルムＦの一面側を確実に吸引保持することができる。
【０００９】
これに対して、オープナー８２の第３吸引杆８２ｃ及び第４吸引杆８２ｄが筒状フィルムＦの他面側を吸引し始めた時点から、オープナー８２が筒状フィルムＦを開口し始めるまでの間には他の動作が介在することがなく、フィルム被嵌装置の処理能力をアップさせようとすると、第３吸引杆８２ｃ及び第４吸引杆８２ｄが筒状フィルムＦの他面側を吸引し始めた後、オープナー８２が筒状フィルムＦを開口し始めるまでの間には十分な時間を確保することができないので、第３吸引杆８２ｃ及び第４吸引杆８２ｄが筒状フィルムＦの他面側を確実に吸引保持することができないおそれがある。
【００１０】
このように、第３吸引杆８２ｃ及び第４吸引杆８２ｄが筒状フィルムＦの他面側を確実に吸引保持することができない場合は、筒状フィルムＦを開口するために、第１吸引杆８２ａ及び第２吸引杆８２ｂと第３吸引杆８２ｃ及び第４吸引杆８２ｄとが相互に離反する際、第３吸引杆８２ｃ及び第４吸引杆８２ｄから筒状フィルムＦが外れてしまい、筒状フィルムＦを開口することができないといった問題が生じることがある。
【００１１】
また、筒状フィルムＦを第１吸引杆８２ａ及び第２吸引杆８２ｂと第３吸引杆８２ｃ及び第４吸引杆８２ｄとで完全に挟み込んだ状態で吸引保持すれば、第３吸引杆８２ｃ及び第４吸引杆８２ｄによる筒状フィルムＦの吸引保持性能は改善されるが、筒状フィルムＦを第１吸引杆８２ａ及び第２吸引杆８２ｂと第３吸引杆８２ｃ及び第４吸引杆８２ｄとで完全に挟み込んでしまうと、筒状フィルムＦを開口する際にラベルＬの一面側と他面側とが離反しにくくなり、筒状フィルムＦの開口性が阻害されるので、筒状フィルムＦを第１吸引杆８２ａ及び第２吸引杆８２ｂと第３吸引杆８２ｃ及び第４吸引杆８２ｄとで完全に挟み込むことができず、第１吸引杆８２ａ及び第２吸引杆８２ｂと第３吸引杆８２ｃ及び第４吸引杆８２ｄとの間には、ある程度の隙間を開けざるを得ないというのが現状である。
【００１２】
そこで、この発明の課題は、処理能力をアップさせる場合であっても、シート状に折り畳まれた状態で供給される筒状フィルムを確実に開口することができるフィルム被嵌装置を提供することにある。
【課題を解決するための手段】
【００１３】
上記の課題を解決するため、請求項１に係る発明は、シート状に折り畳まれた状態で供給される所定長の筒状フィルムをオープナーが受け取って筒状に開口して被嵌体に被嵌するフィルム被嵌装置であって、オープナーは、筒状フィルムの両面をそれぞれ吸引保持する対を為す吸引部材を有し、一方の吸引部材が筒状フィルムの一方の面を吸引保持した状態で、両吸引部材が相対的に接近して他方の吸引部材が筒状フィルムの他方の面を吸引保持した後、両吸引部材を相互に離反させることで、筒状フィルムを開口するようになっており、オープナーの他方の吸引部材が筒状フィルムの他方の面を吸引保持した後、両吸引部材を相互に離反させるまでの間に、筒状フィルムの他方の面を他方の吸引部材に押し当てる押当手段を備えていることを特徴とするフィルム被嵌装置を提供するものである。
【００１４】
請求項２に係る発明は、請求項１に係る発明のフィルム被嵌装置において、オープナーの他方の吸引部材が筒状フィルムの他方の面を吸引保持した後、両吸引部材を相互に離反させるまでの間に、筒状フィルムの切断端に衝撃を付与する衝撃付与手段を備えていることを特徴としている。
【発明の効果】
【００１５】
以上のように、請求項１に係る発明のフィルム被嵌装置は、オープナーの他方の吸引部材が筒状フィルムの他方の面を吸引保持した後、両吸引部材を相互に離反させるまでの間に、筒状フィルムの他方の面を他方の吸引部材に押し当てる押当手段を備えているので、オープナーの他方の吸引部材が筒状フィルムの他方の面を吸引保持した後、両吸引部材を相互に離反させるまでの間の時間が短くても、オープナーの他方の吸引部材が筒状フィルムの他方の面を確実に吸引保持することができる。従って、筒状フィルムを開口するために、両吸引部材を相互に離反させる際、他方の吸引部材から筒状フィルムが外れにくく、筒状フィルムを確実に開口することができる。
【００１６】
また、シート状に折り畳まれた長尺の筒状フィルムを切断（押し切り）することによって、例えば、その切断端に印刷層等が形成されていない所定長の筒状フィルムを形成する場合、筒状フィルムの内面にメジウムインキ等のプライマー層が形成されていないと、切断面に圧力が集中することによって切断部が圧着して擬似接着状態となる場合があるが、請求項２に係る発明は、オープナーの他方の吸引部材が筒状フィルムの他方の面を吸引保持した後、両吸引部材を相互に離反させるまでの間に、筒状フィルムの切断端に衝撃を付与する衝撃付与手段を備えているので、シート状に折り畳まれた長尺の筒状フィルムを所定長に切断する際、筒状フィルムの切断端に擬似接着状態が発生した場合であっても、衝撃付与手段が筒状フィルムの切断端に付与する衝撃によって、筒状フィルムの切断端の擬似接着状態が解除される。従って、両吸引部材を相互に離反させることによって筒状フィルムを容易に開口することができると共に、両吸引部材を相互に離反させる際に吸引部材から筒状フィルムが外れにくく、オープナーによる筒状フィルムの開口性がさらに向上する。
【図面の簡単な説明】
【００１７】
【図１】この発明に係るフィルム被嵌装置の一実施形態であるラベル被嵌装置が搭載されたラベル被嵌システムを示す概略斜視図である。
【図２】同上のラベル被嵌システムを示す平面図である。
【図３】同上のラベル被嵌システムを示す正面図である。
【図４】同上のラベル被嵌システムを構成しているラベル供給装置を示す正面図である。
【図５】同上のラベル供給装置を示す側面図である。
【図６】同上のラベル被嵌装置に搭載されたラベル被嵌ヘッドを示す側面図である。
【図７】同上のラベル被嵌ヘッドを示す正面図である。
【図８】（ａ）は同上のラベル被嵌ヘッドに搭載されたラベルオープナーでシート状に折り畳まれたラベルを吸引保持した状態を示す概略平面図、（ｂ）は同上のラベルオープナーでシート状に折り畳まれたラベルを開口した状態を示す概略平面図である。
【図９】（ａ）〜（ｊ）は同上のラベル被嵌ヘッドのテイクアップ部材とラベルオープナーとの間のラベルの受渡動作を示す動作説明図である。
【図１０】（ａ）〜（ｈ）は同上のラベルオープナーによるラベルの開口動作を示す動作説明図である。
【図１１】（ａ）は同上のラベル被嵌装置に搭載された衝撃付与手段を示す平面図、（ｂ）は同上の衝撃付与手段を示す側面図である。
【図１２】（ａ）は同上のラベル被嵌装置に搭載された押当手段を示す平面図、（ｂ）は同上の押当手段を示す側面図である。
【図１３】（ａ）〜（ｆ）は形態の異なるラベルオープナーを備えたラベル被嵌装置に衝撃付与手段及び押当手段を搭載した場合のラベルの開口動作を示す動作説明図である。
【図１４】（ａ）〜（ｊ）は従来のフィルム被嵌装置におけるテイクアップ部材からオープナーへの筒状フィルムの受渡動作及び筒状フィルムの開口動作を示す動作説明図である。
【図１５】（ａ）は同上のオープナーでシート状に折り畳まれた筒状フィルムを吸引保持した状態を示す概略平面図、（ｂ）は同上のオープナーでシート状に折り畳まれた筒状フィルムを開口した状態を示す概略平面図である。
【発明を実施するための形態】
【００１８】
以下、実施の形態について図面を参照して説明する。図１〜図３は、ＰＥＴボトル（以下、ボトルという。）Ｂにポリエステル系樹脂、ポリスチレン系樹脂等からなる、厚さ２０μｍ〜６０μｍの熱収縮性フィルムによって形成された筒状のシュリンクラベル（以下、ラベルという。）Ｌを被嵌するためのラベル被嵌システム１を示している。このラベル被嵌システム１は、ベルトコンベア６、スクリュー２ａ、２ｂ及びスターホイール２ｃからなるボトル供給装置２と、基材繰出部（図示せず）によって基材ロールから繰り出された長尺のラベル形成基材Ｍを順次切断しながらラベルＬを形成し、そのラベルＬをラベル供給位置αに順次供給するラベル供給装置３と、ボトル供給位置βにおいて前記ボトル供給ユニット２から供給されたボトルＢを受け取ってボトル送出位置γまで搬送すると共に、ラベル供給位置αにおいてラベル供給装置３からラベルＬを受け取り、ボトルＢをボトル供給位置βからボトル送出位置γまで搬送する間に、ラベルＬをボトルＢに被嵌するロータリ型のラベル被嵌装置４と、このラベル被嵌装置４によってラベルＬが被嵌されたボトルＢを搬出するボトル搬出装置５とから構成されており、ボトル搬出装置５は、ベルトコンベア６からなるボトル送出ユニットと、ラベルＬが嵌挿されたボトルＢをラベル被嵌装置４とボトル送出ユニットとの間で受け渡すボトル受渡ユニット５ａとから構成されている。
【００１９】
前記ラベル供給装置３は、図４及び図５に示すように、基材繰出部（図示せず）によって基材ロールから繰り出された長尺のラベル形成基材Ｍを連続的に送り出す、駆動ローラ１１ａ及びこの駆動ローラ１１ａとの間にシート状に折り畳まれたラベル形成基材Ｍを挟み込む従動ローラ１１ｂとからなるラベル基材送出ユニット１１と、このラベル基材送出ユニット１１によって送出されるラベル形成基材Ｍを所定のカットピッチで順次切断する、基材切断位置に固定設置された固定刃１２ａ及び回転刃１２ｂからなる押し切りタイプのラベル基材切断ユニット１２と、このラベル基材切断ユニット１２によって切断されることにより形成されたラベルＬを、その片面をベルトに吸引保持した状態でラベル供給位置αに順次搬送する上流側ベルト搬送ユニット１３及び下流側ベルト搬送ユニット１６とを備えている。
【００２０】
前記上流側ベルト搬送ユニット１３は、図４及び図５に示すように、基材切断位置近傍とラベル供給位置αの近傍位置とに配設されたガイドローラ１３ａ及び駆動プーリ１３ｂに掛け渡され、基材切断位置近傍とラベル供給位置αの近傍位置との間をラベル形成基材Ｍの供給速度より速い速度で循環移動する、多数の吸引孔１３ｄが一定間隔で形成された２本のフィードベルト１３ｃ、１３ｃと、この２本のフィードベルト１３ｃ、１３ｃにラベルＬを吸引保持させる吸引部１４と、ラベルＬをその下端から上端にわたってフィードベルト１３ｃ、１３ｃに順次密着させることで吸引部１４によるフィードベルト１３ｃ、１３ｃへのラベルＬの吸引保持動作を補助する、ラベルＬの搬送ラインを挟んで、各フィードベルト１３ｃ、１３ｃに対向するように設けられた吸引補助手段１５とから構成されており、吸引補助手段１５は、図４に示すように、３個のガイドローラ１５ａ及び駆動プーリ１５ｂと、これらに掛け渡されるベルト１５ｃとから構成されている。
【００２１】
前記下流側ベルト搬送ユニット１６は、ラベル供給位置αを挟んで上下に配設された２個のガイドローラ１６ａ及び駆動プーリ１６ｂに掛け渡され、ラベル供給位置αの上下間を循環移動する、多数の吸引孔１６ｄが一定間隔で形成された１本のフィードベルト１６ｃと、このフィードベルト１６ｃにラベルＬを吸引保持させる吸引部１７とから構成されており、ラベル検出センサ１８によるラベルＬの検出タイミングにずれが発生している場合は、そのずれ量に基づいて、フィードベルト１６ｃの移動速度を調整することで、ラベルＬのずれに伴うラベルＬの供給タイミングのずれを修正しながらラベルＬを搬送し、最終的にラベルＬを常に適正な供給タイミングでラベル供給位置αに停止させるようになっている。
【００２２】
前記ラベル被嵌装置４は、図１、図２、図６及び図７に示すように、回転軸（図示せず）に取り付けられた支持円盤４ａ上に、回転軸を中心とした同心円上に一定間隔で立設された多数のラベル被嵌ヘッド２０を備えており、各ラベル被嵌ヘッド２０によって、ラベル供給位置αにおいて受け取ったシート状に折り畳まれた筒状のラベルＬが開口され、この開口されたラベルＬが、ボトル供給位置βにおいて受け取ったボトルＢがボトル送出位置γまで搬送される途中で、ボトルＢの胴部に被嵌されるようになっている。
【００２３】
前記ラベル被嵌ヘッド２０は、支持円盤４ａ上に固定された、ボトル供給位置βにおいて受け取ったボトルＢを載置するボトル載置台３１及びこのボトル載置台３１に載置したボトルＢの底部を吸引することで、ボトルＢをボトル載置台３１上に保持する図示しない吸引手段を有するボトル保持ユニット３０と、ラベル供給位置αに供給されるラベルを、ラベル受渡ユニット４０を介して受け取って、筒状に開口した後、この開口したラベルＬをボトルＢの胴部に被嵌するラベルオープナー５０とを備えており、ラベル受渡ユニット４０及びラベルオープナー５０は、支持円盤４ａ上に立設された板状の支持フレーム２１に固定されたスライドレール２２に沿って昇降するようになっている。
【００２４】
前記ラベル受渡ユニット４０は、図６及び図７に示すように、スライドレール２２に沿って昇降する、上下に複数の吸引孔４２ａが形成された一対の吸引杆４２、４２を有するテイクアップ部材４１と、テイクアップ部材４１を昇降させるカム機構４３とを備えており、カム機構４３は、支持部材を介してテイクアップ部材４１に連結されたカムフォロア４３ａと、このカムフォロア４３ａが嵌り込む、ラベル被嵌ヘッド２０の内側に固定設置された円筒体４ｂに形成されたカム溝４３ｂとから構成されている。
【００２５】
一対の吸引杆４２、４２の間隔は、図５に示すように、ラベル供給位置αにおいて、ラベル供給装置３の下流側ベルト搬送ユニット１６のフィードベルト１６ｃの外側を通過することができるように設定されており、図３〜図５に示すように、ラベル被嵌ヘッド２０と共に回転しているテイクアップ部材４１の吸引杆４２、４２が、ラベル供給位置αを通過する際、ラベル供給装置３のフィードベルト１６ｃに吸引保持された状態で供給されたラベルＬを引っかけるようにして受け取って、ラベルＬの片面を吸引保持するようになっている。
【００２６】
前記ラベルオープナー５０は、図６〜図８に示すように、支持フレーム２１に固定されたスライドレール２２に沿って昇降する本体ユニット５１と、この本体ユニット５１を昇降させるカム機構５８とを備えている。
【００２７】
前記本体ユニット５１は、図６〜図８に示すように、中央部が開口された環状のベース部材５２と、互いに向き合うように、ベース部材５２に開閉可能に支持された、内部に吸引路が形成され、先端が内側に屈曲した鉤形の対を為す開閉アーム５３、５３及び開閉アーム５４、５４と、各開閉アーム５３、５３、５４、５４の先端部の下面にそれぞれ取り付けられた下方側に延びる角筒状の第１〜第４の吸引杆５５（５５Ａ、５５Ｂ、５５Ｃ、５５Ｄ）と、対を為す開閉アーム５３、５３及び開閉アーム５４、５４を開閉させる開閉機構５６とを備えており、第１〜第４の吸引杆５５（５５Ａ、５５Ｂ、５５Ｃ、５５Ｄ）は、図８（ａ）、（ｂ）に示すように、開閉アーム５３、５３、５４、５４の吸引路に接続される吸引路５５ａ及びこの吸引路５５ａに連通し、ラベル保持面である一側面に開放される複数の吸引孔５５ｂを有している。なお、上述したラベル受渡ユニット４０を構成しているテイクアップ部材４１は、ベース部材５２の開口部を通って、ベース部材５２の上下位置に相対移動することができるようになっている。なお、開閉機構５６は、図６及び図７に示すように、カムフォロア５７ａと、このカムフォロア５７ａが嵌り込む、ラベル被嵌ヘッド２０の内側に固定設置された円筒体４ｂに形成されたカム溝５７ｂとからなるカム機構５７を備えており、カムフォロア５７ａがカム溝５７ｂに沿って昇降することで、その昇降動作に応じて、所定のタイミングで開閉アーム５３、５３、開閉アーム５４、５４が開閉するようになっている。
【００２８】
第１〜第４の吸引杆５５（５５Ａ、５５Ｂ、５５Ｃ、５５Ｄ）は、図８（ａ）に示すように、一方の開閉アーム５３、５３に取り付けた第１の吸引杆５５Ａと第２の吸引杆５５Ｂとでシート状に折り畳まれたラベルＬの一面側を、所定間隔を開けて吸引保持すると共に、他方の開閉アーム５４、５４に取り付けた第３の吸引杆５５Ｃと第４の吸引杆５５Ｄとでシート状に折り畳まれたラベルＬの他面側を、所定間隔を開けて吸引保持した状態から、同図（ｂ）に示すように、対を為す開閉アーム５３、５３及び開閉アーム５４、５４を回動させると、ラベルＬの一面側を吸引保持している第１の吸引杆５５Ａ及び第２の吸引杆５５Ｂと、ラベルＬの他面側を吸引保持している第３の吸引杆５５Ｃ及び第４の吸引杆５５Ｄとが相互に離反し、ラベルＬがボトルＢの胴部よりも大きく開口されるようになっている。
【００２９】
前記本体ユニット５１を昇降させるカム機構５８は、図６及び図７に示すように、ベース部材５２に取り付けられたカムフォロア５８ａと、このカムフォロア５８ａが嵌り込む、ラベル被嵌ヘッド２０の内側に固定設置された円筒体４ｂに形成されたカム溝５８ｂとから構成されており、カムフォロア５８ａがカム溝５８ｂに沿って昇降することで、ベース部材５２に取り付けられている本体ユニット５１が昇降するようになっている。
【００３０】
次に、ラベル受渡ユニット４０のテイクアップ部材４１がラベル供給装置３から受け取ったシート状に折り畳まれた状態のラベルＬを、ラベルオープナー５０の第１〜第４の吸引杆５５（５５Ａ、５５Ｂ、５５Ｃ、５５Ｄ）に引き渡して開口するまでの動作について、図９及び図１０を参照しながら説明する。テイクアップ部材４１がシート状に折り畳まれた状態のラベルＬを受け取った時点では、図９（ａ）、（ｂ）に示すように、ラベルオープナー５０は、テイクアップ部材４１の下方側に待避しており、同図（ｃ）、（ｄ）に示すように、ラベルオープナー５０が徐々に上昇していき、同図（ｅ）、（ｆ）に示すように、第１の吸引杆５５Ａ及び第２の吸引杆５５ＢとラベルＬとが対向する位置まで上昇して停止する。このとき、第１の吸引杆５５Ａ及び第２の吸引杆５５ＢとラベルＬとの間には僅かな隙間が形成されている。
【００３１】
このようにして、第１の吸引杆５５Ａ及び第２の吸引杆５５ＢとラベルＬとが対向すると、第１の吸引杆５５Ａ及び第２の吸引杆５５Ｂが吸引動作を開始して、ラベルＬの一面側を吸引保持した後、テイクアップ部材４１が吸引動作を停止することで、ラベルＬがテイクアップ部材４１から第１の吸引杆５５Ａ及び第２の吸引杆５５Ｂに引き渡される。このとき、テイクアップ部材４１とラベルＬとの間には僅かな隙間が形成されている。なお、ラベルオープナー５０及びテイクアップ部材４１は、図９及び図１０に矢印で示すように左から右に移動しており、テイクアップ部材４１からラベルＬを受け取った第１の吸引杆５５Ａ及び第２の吸引杆５５Ｂは、ラベルオープナー５０の移動方向の下流側に位置している。
【００３２】
このようにして、ラベルＬがテイクアップ部材４１から第１の吸引杆５５Ａ及び第２の吸引杆５５Ｂに引き渡されると、同図（ｇ）、（ｈ）に示すように、テイクアップ部材４１が上昇していき、同図（ｉ）、（ｊ）に示すように、ラベルオープナー５０の上方側に待避する。
【００３３】
図１０（ａ）、（ｂ）に示すように、テイクアップ部材４１がラベルオープナー５０の上方側に待避すると、同図（ｃ）、（ｄ）に示すように、他方の開閉アーム５４、５４が回動することで、第３の吸引杆５５Ｃ及び第４の吸引杆５５ＤがラベルＬの他面側に接近し、ラベルＬの他面側を吸引保持する。
【００３４】
続いて、対を為す開閉アーム５３、５３及び開閉アーム５４、５４を逆方向に回動させることによって、同図（ｅ）、（ｆ）に示すように、対を為す第１の吸引杆５５Ａ及び第２の吸引杆５５Ｂと第３の吸引杆５５Ｃ及び第４の吸引杆５５Ｄとが相互に離反していき、同図（ｇ）、（ｈ）に示すように、ラベルＬが所定状態に開口される。
【００３５】
上述したラベルＬの受け渡しから開口までの動作は、支持円盤４ａと共にラベル被嵌ヘッド２０が回転移動しながら行われるが、ラベル被嵌ヘッド２０の移動経路には、図８（ａ）に示すように、ラベルオープナー５０が、シート状に折り畳まれた状態のラベルＬの両面を吸引保持した状態、即ち、第１の吸引杆５５Ａ及び第２の吸引杆５５ＢがラベルＬの一面側を吸引保持すると共に、第３の吸引杆５５Ｃ及び第４の吸引杆５５ＤがラベルＬの他面側を吸引保持した状態から、ラベルＬを開口するために、第１の吸引杆５５Ａ及び第２の吸引杆５５Ｂと、第３の吸引杆５５Ｃ及び第４の吸引杆５５Ｄとが相互に離反し始める直前までの間（図１０（ｃ）、（ｄ）参照）に、ラベルＬの下端部に衝撃を付与する衝撃付与手段６０と、第１の吸引杆５５Ａ及び第２の吸引杆５５Ｂよりも後でラベルＬを吸引保持した第３の吸引杆５５Ｃ及び第４の吸引杆５５ＤにラベルＬの他方の面を押し当てる押当手段７０とが配設されており、衝撃付与手段６０によってラベルＬの下端部に衝撃が付与された後、押当手段７０によってラベルＬの他面側を第３の吸引杆５５Ｃ及び第４の吸引杆５５Ｄに押し当てるようになっている。
【００３６】
前記衝撃付与手段６０は、図１１（ａ）、（ｂ）に示すように、シート状に折り畳まれたラベルＬの幅方向の第１の吸引杆５５Ａ及び第３の吸引杆５５Ｃと第２の吸引杆５５Ｂ及び第４の吸引杆５５Ｄとの間に一定間隔で配設された複数の凸部６１が、ラベルＬの進行方向に３列で配設されており、ラベルＬの下端部が凸部６１に当接して、これを乗り越えながら移動していくことで、ラベルＬの下端部に衝撃が付与され、これによって、ラベル基材切断ユニット１２によってラベル基材が切断される際に発生したラベルＬの下端部の擬似接着状態が解除されるようになっている。なお、同図（ｂ）では、衝撃付与手段６０を通過するラベルＬの下端部が凸部６１に当接する様子を分かりやすく示すために、第４の吸引杆５５Ｄを省略し、ラベルＬだけを二点鎖線で示している。
【００３７】
前記凸部６１は、ラベルＬの移動経路の下方側で一端側が支持された、ラベルＬの幅方向に延びるバー６２に、幅が３〜６ｍｍの樹脂製の結束部材を５〜１０ｍｍピッチで結束し、その不要部分を切断することによって形成されており、ラベルＬの進行方向の斜め前方に傾いた状態でラベルＬの下端縁から３〜６ｍｍ程度立ち上がっている。このように、凸部６１は、５〜１０ｍｍピッチで配設されているので、少ない抵抗でラベルＬの下端部に衝撃を付与することができると共に、ラベルＬの進行方向の斜め前方に傾いているので、ラベルＬに必要以上に大きな衝撃が付与されることがなく、吸引杆５５に対してラベルＬが位置ずれすることがない。
【００３８】
前記押当手段７０は、図１２（ａ）、（ｂ）に示すように、図示しない給気手段に接続されたエア吹出ノズル７１が、ラベルＬの下方側からラベルＬの進行方向の上流側に向かって斜め上方にエアを吹き出すことで空気流を形成するようになっており、この空気流をラベルＬが突っ切ることによって、ラベルＬが進行方向の上流側、即ち、第３の吸引杆５５Ｃ及び第４の吸引杆５５Ｄ側に押され、ラベルＬの他面側が第３の吸引杆５５Ｃ及び第４の吸引杆５５Ｄによって確実に吸引保持される。
【００３９】
特に、このラベル被嵌装置４では、上述したように、衝撃付与手段６０によってラベルＬの下端部の擬似接着状態を解除した後に、押当手段７０のノズル７１がラベルＬの下方側からラベルＬの進行方向の上流側に向かって斜め上方にエアを吹き出すようになっているので、擬似接着状態が解除されたラベルＬの下端部からラベルＬの内側にエアが進入し、第１の吸引杆５５Ａ及び第２の吸引杆５５Ｂに吸引保持されているラベルＬの一面側が第１の吸引杆５５Ａ及び第２の吸引杆５５Ｂに押し当てられると共に、第３の吸引杆５５Ｃ及び第４の吸引杆５５Ｄに吸引保持されているラベルＬの他面側が第３の吸引杆５５Ｃ及び第４の吸引杆５５Ｄに押し当てられるので、ラベルＬの他面側が第３の吸引杆５５Ｃ及び第４の吸引杆５５Ｄによって確実に吸引保持されるだけでなく、第１の吸引杆５５Ａ及び第２の吸引杆５５ＢによるラベルＬの吸引保持力も向上するという効果が得られる。
【００４０】
以上のように、このフィルム被嵌装置４では、ラベルオープナー５０の第３の吸引杆５５Ｃ及び第４の吸引杆５５ＤがラベルＬの他面側を吸引保持した後、対を為す第１の吸引杆５５Ａ及び第２の吸引杆５５Ｂと第３の吸引杆５５Ｃ及び第４の吸引杆５５Ｄとを相互に離反させるまでの間に、押当手段７０がラベルＬの他面側を第３の吸引杆５５Ｃ及び第４の吸引杆５５Ｄに押し当てるようにしているので、第３の吸引杆５５Ｃ及び第４の吸引杆５５ＤがラベルＬの他面側を吸引保持した後、対を為す第１の吸引杆５５Ａ及び第２の吸引杆５５Ｂと第３の吸引杆５５Ｃ及び第４の吸引杆５５Ｄとを相互に離反させるまでの間の時間が短くても、第３の吸引杆５５Ｃ及び第４の吸引杆５５ＤがラベルＬの他面側を確実に吸引保持することができる。
【００４１】
従って、ラベルＬを開口するために、対を為す第１の吸引杆５５Ａ及び第２の吸引杆５５Ｂと第３の吸引杆５５Ｃ及び第４の吸引杆５５Ｄを相互に離反させる際、第３の吸引杆５５Ｃ及び第４の吸引杆５５ＤからラベルＬが外れにくく、ラベルＬを確実に開口することができるので、フィルム被嵌装置４の処理能力を向上させることが可能となる。
【００４２】
また、このフィルム被嵌装置４では、衝撃付与手段６０がラベルＬの下端部に衝撃を付与することによって、ラベルＬの下端部の擬似接着状態を解除するようになっているので、対を為す第１の吸引杆５５Ａ及び第２の吸引杆５５Ｂと第３の吸引杆５５Ｃ及び第４の吸引杆５５Ｄを相互に離反させてラベルＬを開口する際、ラベルＬを容易に開口することができると共に、ラベルオープナー５０がラベルＬを開口する際に第１の吸引杆５５Ａ及び第２の吸引杆５５Ｂや第３の吸引杆５５Ｃ及び第４の吸引杆５５ＤからラベルＬが外れにくく、ラベルオープナー５０によるラベルＬの開口性がさらに向上する。
【００４３】
なお、上述した実施形態では、４本の吸引杆５５Ａ〜５５Ｄによってシート状に折り畳まれたラベルＬの幅方向の２箇所を吸引保持して開口するラベルオープナー５０を採用しているが、これに限定されるものではなく、例えば、図１３に示すように、開閉可能な一対の揺動アーム５１Ａ、５１ＢによってラベルＬを開口するラベルオープナー５０ａを採用する場合にも、本発明の衝撃付与手段６０や押当手段７０を採用することができる。
【００４４】
揺動アーム５１Ａ、５１Ｂは、それぞれの先端側に、シート状に折り畳まれた状態で供給されるフィルムＦを吸引保持する櫛歯状の吸引部５２Ａ、５２Ｂが設けられており、同図（ａ）、（ｂ）に示すように、図示しない櫛歯状のテイクアップ部材に片面が吸引保持された状態で搬送されてくるシート状に折り畳まれたラベルＬを、一方の揺動アーム５１Ａの吸引部５２Ａが受け取ってそのラベルＬの一面側を吸引保持した後、同図（ｃ）、（ｄ）に示すように、他方の揺動アーム５１Ｂの吸引部５２ＢがラベルＬに接近して、そのラベルＬの他面側を吸引保持し、その後、同図（ｅ）、（ｆ）に示すように、一対の揺動アーム５１Ａ、５１Ｂを開くことによって、ラベルＬを筒状に開口するようになっている。
【００４５】
従って、同図（ｃ）、（ｄ）に示すように、ラベルオープナー５０ａが、シート状に折り畳まれた状態のラベルＬの両面を吸引保持した状態、即ち、一対の揺動アーム５１Ａ、５１Ｂの吸引部５２Ａ、５２ＢがラベルＬの両面を吸引保持した状態から、ラベルＬを開口するために、一対の揺動アーム５１Ａ、５１Ｂが開き始める直前までの間に、ラベルＬの下端部に衝撃を付与する衝撃付与手段６０と、第１の吸引杆５５Ａ及び第２の吸引杆５５Ｂよりも後でラベルＬを吸引保持した第３の吸引杆５５Ｃ及び第４の吸引杆５５ＤにラベルＬの他方の面を押し当てる押当手段７０とが配設されており、衝撃付与手段６０によってラベルＬの下端部に衝撃が付与された後、押当手段７０によってラベルＬの他面側を揺動アーム５１Ｂの吸引部５２Ｂに押し当てるようになっている。
【００４６】
このラベルオープナー５０ａは、上述したラベルオープナー５０とは逆に、その移動方向の上流側に位置している揺動アーム５１Ａがテイクアップ部材からラベルＬを受け取るようになっているので、ラベルオープナー５０の移動方向の下流側に位置している揺動アーム５１Ｂの吸引部５２ＢにラベルＬを押し当てるために、エア吹出ノズル７１が、ラベルＬの下方側からラベルＬの進行方向の下流側に向かって斜め上方にエアを吹き出すようになっている。
【００４７】
また、上述した実施形態では、シート状に折り畳まれたラベルＬの幅方向に一定間隔で複数の凸部６１を配設した衝撃付与手段６０を採用しているが、これに限定されるものではなく、ラベルＬの幅方向に連続して当接する板状の凸部を採用することも可能である。
【００４８】
また、上述した衝撃付与手段６０では、ラベルＬの下端縁の同一箇所に３回衝撃を付与するようにしているが、衝撃を付与する回数は３回に限定されるものではなく、適宜設定すればよい。
【００４９】
また、上述した実施形態では、衝撃付与手段６０によってラベルＬの下端縁に衝撃を付与しているが、これに限定されるものではなく、ラベルＬの上端縁に衝撃を付与したり、ラベルＬの上端縁及び下端縁の双方に衝撃を付与するようにしてもよい。
【００５０】
また、上述した実施形態では、エア吹出ノズル７１が、ラベルＬの下方側からラベルＬの進行方向の上流側に向かって斜め上方にエアを吹き出すことで空気流を形成し、この空気流をラベルＬが突っ切ることによって、ラベルＬが進行方向の上流側に位置している第３の吸引杆５５Ｃ及び第４の吸引杆５５Ｄや、揺動アーム５１Ａの吸引部５２ＡにラベルＬを押し当てるようにしているが、これに限定されるものではなく、ラベルＬの搬送経路の上方からラベルＬの進行方向の上流側に向かって斜め下方にエアを吹き出したり、ラベルＬの搬送経路の上方からラベルＬの進行方向の上流側に向かって斜め下方にエアを吹き出すと共に、ラベルＬの搬送経路の下方からラベルＬの進行方向の上流側に向かって斜め上方にエアを吹き出すようにしてもよい。
【００５１】
また、上述した各実施形態では、エアによってラベルＬを第３の吸引杆５５Ｃ及び第４の吸引杆５５Ｄや揺動アーム５１Ａの吸引部５２Ａに押し当てるようにしているが、これに限定されるものではなく、例えば、ラベルＬにおける第３の吸引杆５５Ｃ及び第４の吸引杆５５Ｄや揺動アーム５１Ａの吸引部５２Ａが接触していない位置に、複数の細長い柔軟な紐部材を所定間隔を開けて吊り下げておき、ラベルＬがその紐部材の吊り下げ位置を通過する際、それらの紐部材がラベルＬを第３の吸引杆５５Ｃ及び第４の吸引杆５５Ｄや揺動アーム５１Ａの吸引部５２Ａに押し当てるようにしてもよい。
【００５２】
また、上述した各実施形態では、衝撃付与手段６０によってラベルの下端縁に衝撃を付与することによって擬似接着状態を解除した後に、押当手段７０によって第３の吸引杆５５Ｃ及び第４の吸引杆５５Ｄや、揺動アーム５１Ａの吸引部５２ＡにラベルＬを押し当てるために、ラベルＬの搬送方向の上流側に衝撃付与手段６０を、下流側に押当手段７０を配置しているが、逆に、ラベルＬの搬送方向の上流側に押当手段７０を、下流側に衝撃付与手段６０を配置してもよい。
【００５３】
また、上述した実施形態では、筒状のラベルＬをボトルＢの胴部に被嵌するためのラベル被嵌装置について説明したが、これに限定されるものではなく、本発明は、筒状のフィルムを種々の被嵌体に被嵌する場合に適用することができることはいうまでもない。
【産業上の利用可能性】
【００５４】
本発明は、シート状に折り畳まれた状態の筒状フィルムを開口して被嵌体に被嵌する場合に利用することができる。
【符号の説明】
【００５５】
１  ラベル被嵌システム
２  ボトル供給装置
３  ラベル供給装置
４  ラベル被嵌装置（フィルム被嵌装置）
４ａ  支持円盤
４ｂ  円筒体
５  ボトル搬出装置
６  ベルトコンベア
１１  ラベル基材送出ユニット
１２  ラベル基材切断ユニット
１３  上流側ベルト搬送ユニット
１６  下流側ベルト搬送ユニット
１８  ラベル検出センサ
２０  ラベル被嵌ヘッド
２１  支持フレーム
２２  スライドレール
３０  ボトル保持ユニット
３１  ボトル載置台
４０  ラベル受渡ユニット
４１  テイクアップ部材
４２  吸引杆
４２ａ  吸引孔
４３  カム機構
４３ａ  カムフォロア
４３ｂ  カム溝
５０、５０ａ  ラベルオープナー（オープナー）
５１  本体ユニット
５１Ａ、５１Ｂ  揺動アーム
５２  ベース部材
５２Ａ、５２Ｂ  吸引部（吸引部材）
５３、５４  開閉アーム
５５  吸引杆
５５ａ  吸引路
５５ｂ  吸引孔
５５Ａ  第１の吸引杆（吸引部材）
５５Ｂ  第２の吸引杆（吸引部材）
５５Ｃ  第３の吸引杆（吸引部材）
５５Ｄ  第４の吸引杆（吸引部材）
５６  開閉機構
５７、５８  カム機構
５７ａ、５８ａ  カムフォロア
５７ｂ、５８ｂ  カム溝
６０  衝撃付与手段
６１  凸部
６２  バー
７０  押当手段
７１  エア吹出ノズル
Ｂ  ＰＥＴボトル（被嵌体）
Ｌ  シュリンクラベル（筒状フィルム）
Ｍ  ラベル形成基材
【図１】
2014213898.tif 000003
【図２】
2014213898.tif 000004
【図３】
2014213898.tif 000005
【図４】
2014213898.tif 000006
【図５】
2014213898.tif 000007
【図６】
2014213898.tif 000008
【図７】
2014213898.tif 000009
【図８】
2014213898.tif 000010
【図９】
2014213898.tif 000011
【図１０】
2014213898.tif 000012
【図１１】
2014213898.tif 000013
【図１２】
2014213898.tif 000014
【図１３】
2014213898.tif 000015
【図１４】
2014213898.tif 000016
【図１５】
2014213898.tif 000017